(57)【要約】【課題】定期点検にかかるコスト、時間の削減、及び定期点検の品質の向上、均一化を図る事が可能で導入コストが低いシステムを提供する。【解決手段】ＧＰＳ機能とカメラ機能と入力部と表示部と通信機能を備えた携帯情報端末装置を携帯して点検を行い、処理サーバにおいて報告書作成を支援する点検支援システムであって、携帯情報端末装置の表示部には地図上に点検個所と現在位置が表示され、指示された点検個所においてカメラ機能による撮影を行い、撮影画像にＧＰＳ機能で入手した当該点検個所の位置情報を付与して通信機能による情報通信を行い、処理サーバは、受信画像とこの画像の点検個所が合致する過去画像の内容を解析して相違点を抽出し、当該画像内の相違点個所についての想定される報告内容を基本文として予め準備しておき、抽出した画像の相違点に対応して想定した報告内容を選択して日時、場所の情報とともに記述して報告書とする。【選択図】図１
2014139724.tif 000002
【特許請求の範囲】
【請求項１】
点検者が携帯情報端末装置を携帯して点検を行った結果を受けて報告書を作成する作業を支援するための点検支援用処理サーバであって、
前記点検支援用処理サーバは、前記携帯情報端末装置から点検個所で撮影した画像とその撮影位置の情報を入手し、受信画像とこの画像の点検個所が合致する過去画像の内容を解析して相違点を抽出し、当該画像内の相違点個所についての想定される報告内容を基本文として予め準備しておき、抽出した前記画像の相違点に対応して前記想定した報告内容を選択して日時、場所の情報とともに記述して前記報告書とすることを特徴とする点検支援用処理サーバ。
【請求項２】
請求項１記載の点検支援用処理サーバであって、
前記携帯情報端末装置に複数の点検個所の位置情報を提供し、受信画像の位置情報に応じて提供した点検個所を点検したことのチェックを行い、チェックシートを作成することを特徴とする点検支援用処理サーバ。
【請求項３】
複数個所を点検して報告書を作成する作業を支援するために、点検者は、ＧＰＳ機能とカメラ機能と入力部と表示部と通信機能を備えた携帯情報端末装置を携帯して点検を行い、処理サーバにおいて報告書作成を支援する点検支援システムであって、
前記携帯情報端末装置の表示部には地図上に点検個所と現在位置が表示され、指示された点検個所において前記カメラ機能による撮影を行い、撮影画像に前記ＧＰＳ機能で入手した当該点検個所の位置情報を付与して前記通信機能による情報通信を行い、
前記処理サーバは、受信画像とこの画像の点検個所が合致する過去画像の内容を解析して相違点を抽出し、当該画像内の相違点個所についての想定される報告内容を基本文として予め準備しておき、抽出した前記画像の相違点に対応して前記想定した報告内容を選択して日時、場所の情報とともに記述して前記報告書とすることを特徴とする点検支援システム。
【請求項４】
請求項１記載の点検支援システムであって、
前記携帯情報端末装置の表示部の地図上に表示された点検個所の情報は前記処理サーバから提供され、前記処理サーバでは受信画像の位置情報に応じて指示した点検個所を点検したことのチェックを行いチェックシートを作成することを特徴とする点検支援システム。
【請求項５】
無線通信によって各種データの送受信を携帯情報端末装置に対して行う無線通信部と、無線通信部を介して携帯情報端末装置より送られてくる携帯情報端末装置の内蔵カメラによって撮影された画像データをデータベースとして蓄積する画像蓄積部と、画像蓄積部によって蓄積された過去の画像データと、今回携帯情報端末装置によって撮影された画像データとを比較し、過去と異なる箇所の有無を判断する画像解析部と、報告書データ作成部により作成された報告書をデータベースとして蓄積する報告書データ蓄積部と、画像解析部によって解析された結果と、報告書データ蓄積部によって蓄積された過去の点検報告書に基づき、予め報告書作成用データ蓄積部に登録されているフォーマット・文面を使用して今回の点検報告書を作成する報告書データ作成部と、ユーザが予めフォーマットや文面を登録し、データベースとして蓄積する報告書作成用データ蓄積部とを有する点検支援用処理サーバ。
【発明の詳細な説明】
【技術分野】
【０００１】
本発明は、無線通信を介してプラントを点検する点検支援用処理サーバ及び点検支援システムに関する。
【背景技術】
【０００２】
従来より火力発電所等のプラントにおいては、プラント内機器の異常を診断するため定期点検を実施している。定期点検はプラント職員により行われ、予め作成されたチェックリストを元に、実際に機器を歩いて見回り、各機器においてチェックリストの確認項目全てが正常である事を確かめる事によって行われている。また、定期点検終了後には、管理者に対する報告書として、定期点検の結果をレポートとして作成している。
【０００３】
係る点検、報告の従来技術として特許文献１が知られている。特許文献１では、プラント機器に予め設定したバーコードを貼付しておき、点検時に携帯端末とは別のバーコードリーダで読取りプラント機器の認識を行う。また、その情報を無線によって送信し、携帯端末に表示する事で、プラント機器の保守点検における保守員の負担を軽減する。
【０００４】
しかしながらこの方法では、携帯端末のみならず、バーコードリーダまた予め機器へのバーコード取付け等、導入に手間がかかる上、コストもかかってしまうという問題がある。
【０００５】
さらに別の従来技術として特許文献２が知られている。特許文献２では、プラント内の位置をより正確に算出し、プラント保守点検時に保守員が本来点検すべき場所にいるかどうかは自ら判断する必要があるという問題を解消する。
【０００６】
しかしながら特許文献２では携帯端末向けのＡ−ＧＰＳを必要とする。その精度は数ｍ〜数十ｍである事が知られており、位置情報を必要とするプラント点検においては新たに専用の無線基地局を導入するまでのメリットは無いと考えられる。また元々無線基地局を導入していないプラントにおいては導入コストが非常に大きなものとなる。
【先行技術文献】
【特許文献】
【０００７】
【特許文献１】特開２００４−１３３６７１号公報
【特許文献２】特開２００９−２７１８９１号公報
【発明の概要】
【発明が解決しようとする課題】
【０００８】
上記特許文献１、２にも問題点の一部が表れているが、プラント内機器の異常診断のための定期点検、及びその後の報告書作成には、大きく以下の４点の解決すべき問題点がある。
【０００９】
１つは、定期点検実施の際にはプラント職員が自らの足を運び、プラント内に点々と配置された各プラント機器の点検を行う必要があることである。この場合に、目的とする機器のある場所に辿り着くためには地図を見る必要があり、本当にそれが該当する機器かどうかの判断を行う必要がある事である。
【００１０】
２つ目は定期点検実施後に、チェックリストを元にレポートを作成する必要があるが、点検実施者が点検実施項目毎に自ら判断し作成しなければならないことである。この場合に、各プラント機器の個数が膨大である事から、レポート作成に膨大な時間が必要となる事である。
【００１１】
３点目は、定期点検、定期点検後のレポート作成共に正確であるためには、経験者・熟練者の知識、ノウハウが必要であるが、個人によって内容が異なるため、レポートの品質が均一でないという事である。
【００１２】
４点目として従来技術においては、無線を使用した点検保守システムを導入するために、導入コストが非常に高価であり、導入の敷居が高い事が挙げられる。
【００１３】
以上の事から本発明においては、前記課題を解決し定期点検にかかるコスト、時間の削減、及び定期点検の品質の向上、均一化を図る事が可能で導入コストが低いシステムを提供する。
【課題を解決するための手段】
【００１４】
以上のことから本発明においては、複数個所を点検して報告書を作成する作業を支援するために、点検者は、ＧＰＳ機能とカメラ機能と入力部と表示部と通信機能を備えた携帯情報端末装置を携帯して点検を行い、処理サーバにおいて報告書作成を支援する点検支援システムであって、携帯情報端末装置の表示部には地図上に点検個所と現在位置が表示され、指示された点検個所においてカメラ機能による撮影を行い、撮影画像にＧＰＳ機能で入手した当該点検個所の位置情報を付与して通信機能による情報通信を行い、処理サーバは、受信画像とこの画像の点検個所が合致する過去画像の内容を解析して相違点を抽出し、当該画像内の相違点個所についての想定される報告内容を基本文として予め準備しておき、抽出した画像の相違点に対応して想定した報告内容を選択して日時、場所の情報とともに記述して報告書とすることを特徴とする。
【発明の効果】
【００１５】
本発明によれば、前記課題を解決し定期点検にかかるコスト、時間の削減、及び定期点検の品質の向上、均一化を図る事が可能である。
【図面の簡単な説明】
【００１６】
【図１】本発明のプラント点検支援システムの全体構成を示す図。
【図２】ユーザが現場点検の際に携帯情報端末装置Ｈを携帯して実行する一連の処理動作を示す図。
【図３】携帯情報端末装置Ｈの地図表示部３の処理フローを示す図。
【図４】携帯情報端末装置ＨのＧＰＳ受発信部２での処理フローを示す図。
【図５】携帯情報端末装置Ｈの内蔵カメラ４の処理フローを示す図。
【図６】処理サーバＳＶの画像解析部８の処理フローを示す図。
【図７（ａ）】処理サーバＳＶの報告書データ作成部９の処理フロー（１）を示す図。
【図７（ｂ）】処理サーバＳＶの報告書データ作成部９の処理フロー（２）を示す図。
【発明を実施するための形態】
【００１７】
以下、本発明の実施例について図面を参照して説明する。
【実施例】
【００１８】
図１は本発明の点検支援システムの全体構成を示している。プラント点検支援システムは、ユーザ（プラント職員）が現場のプラント機器Ｐの点検の際に携帯する携帯情報端末装置Ｈと、携帯情報端末装置Ｈと無線により接続されて報告書作成を支援する処理サーバＳＶで構成されている。
【００１９】
このうち携帯情報端末装置Ｈは、無線通信部１と、ＧＰＳ受発信部２と、地図表示部３と、内蔵カメラ４と、タッチパネルの表示画面５を有する。携帯情報端末装置ＨはユーザＵによって操作されると共に、要求された情報をユーザＵに対してタッチパネル５を介して表示する。ＧＰＳ受発信部２は、受信して自動的に取得した位置情報を地図表示部３に渡す。地図表示部３はユーザＵの要求に対して、ＧＰＳ受発信部２より受け取った位置情報と合わせ、地図を表示する。内蔵カメラ４はユーザＵの撮影要求に応じてプラント機器Ｐの写真を画像データとして保存し、ユーザＵの要求によって、無線通信部１は画像データを処理サーバＳＶへ送信する。
【００２０】
処理サーバＳＶは、無線通信部６と、画像蓄積部ＤＢ１と、画像解析部８と、報告書データ蓄積部ＤＢ２と、報告書データ作成部９と、報告書作成用データ蓄積部ＤＢ３を有する。無線通信部６は携帯情報端末装置Ｈより受信した画像データを画像蓄積部ＤＢ１へ送ると共に、画像解析部８へ送る。画像解析部８では画像蓄積部ＤＢ１の過去画像データとの解析を行い、結果を報告書データ作成部９へ送る。報告書データ作成部９は、報告書作成用データ蓄積部ＤＢ２よりフォーマットや文面を受取り、報告書を作成し、報告書データ蓄積部ＤＢ３へ送信する。
【００２１】
またユーザＵは、タッチパネル５を使用して、報告書データ蓄積部ＤＢ３、報告書作成用データ蓄積部ＤＢ２、画像蓄積部ＤＢ１に対し、無線通信部６、報告書データ作成部９、画像解析部８を通して、各データの取得・表示要求を行う事ができると共に、同様に機器チェックリストの呼出要求を報告書作成用データ蓄積部ＤＢ２に対し行う事ができる。
【００２２】
なお、図１の携帯情報端末装置Ｈおよび処理サーバＳＶの主要な各部の処理内容が図３から図７に示されている。具体的には、携帯情報端末装置Ｈ内の地図表示部３の処理フローが図３に、ＧＰＳ発信部２の処理フローが図４に、内蔵カメラの処理フローが図５に示されている。処理サーバＳＶについて画像解析部６の処理フローが図６に、報告書データ作成部９の処理フローが図７に示されている。
【００２３】
また図２は、ユーザ（プラント職員）が現場のプラント機器Ｐの点検の際に携帯情報端末装置Ｈを携帯して実行する一連の処理動作を示している。上記した図１の携帯情報端末装置Ｈおよび処理サーバＳＶの主要な各部の処理は、ユーザ（プラント職員）が現場のプラント機器Ｐの点検の際に携帯情報端末装置Ｈを使用して実行して一連の手順に応じて順次実行されていく。
【００２４】
図２の点検手順での処理ステップＳ１１では、ユーザ（プラント職員）が現場のプラント機器Ｐの点検日時であることをもって携帯情報端末装置Ｈを持ち点検業務を開始する。この時点で携帯情報端末装置Ｈの電源が投入され、携帯情報端末装置Ｈが始動する。なお、処理サーバＳＶは常時稼働状態にある。
【００２５】
点検手順での実質的な処理開始である処理ステップＳ１２では、地図表示要求Ｘ１を行う。また同時にチェックシート要求Ｘ２を行う。地図表示要求により、携帯情報端末装置Ｈ内の地図表示部３の処理フロー（図３）が起動され、チェックシート取得要求Ｘ２により、処理サーバＳＶ内の報告書データ作成部９の処理フロー（図７（ａ））の処理ステップＳ９５が起動される。なお、処理サーバＳＶ側の起動、処理が無線通信部１、６を介して行われていることは言うまでもない。また以下の説明において特に必要がない限り、携帯情報端末装置Ｈと処理サーバＳＶの間の連携が無線通信部１、６を介して行われていることの説明を省略する。
【００２６】
このうちまず報告書データ作成部９の処理フロー（図７（ａ））の処理ステップＳ９５では、チェックシート取得要求Ｘ２の受信を判断し、処理ステップＳ９６では報告書データ蓄積部ＤＢ３からチェックシート書式を入手し、処理ステップＳ９７ではチェックシート書式を携帯情報端末装置Ｈに伝送する。
【００２７】
なおチェックシート書式は、あくまでも書式であるのでこの時点では予め判明している書誌事項（年月日、点検目的、担当者など）が記述されており、この他には点検ルート及び点検個所の情報が記述されている。点検個所はカメラ撮影個所でもある。これ等の情報が携帯情報端末装置Ｈに送られてくる。
【００２８】
他方、携帯情報端末装置Ｈ内の地図表示部３の処理フロー（図３）の最初の処理ステップＳ３１では、ユーザＵからの地図表示要求Ｘ１を待ち、要求が来ない間は次の処理を行わない。ユーザから地図表示要求Ｘ１があった場合には、処理ステップＳ３２においてＧＰＳ受発信部２に対し位置情報の取得要求Ｘ３を行い、処理ステップＳ３３においてＧＰＳ受発信部２からの位置情報Ｙ３を取得する。
【００２９】
ここで、処理ステップＳ３２、３３の実質的な処理内容である位置情報取得はＧＰＳ受発信部２で行われるので、図４のＧＰＳ受発信部２の処理内容を先に説明する。図４は携帯情報端末装置におけるＧＰＳ受発信部での処理フローを示している。この図４に示すようにＧＰＳ受発信部２における最初の処理ステップＳ２１では、地図表示部３からの位置情報取得要求Ｘ３を待ち、要求が来ない間は処理を行わない。地図表示部３からの位置情報取得要求Ｘ３があった場合には、処理ステップＳ２２において、ＧＰＳに対し位置情報取得要求Ｘ３を発行する。処理ステップＳ２３でＧＰＳより位置情報Ｙ３を取得し、処理ステップＳ２４では取得した位置情報Ｙ３を地図表示部３へ渡す。なお位置情報取得要求はユーザにより与えられ、ＧＰＳ受発信部２は位置情報取得要求が解除されるまでの期間は継続して位置情報を入手し続ける。
【００３０】
図３に戻り、その処理ステップＳ３３の段階では、位置情報Ｙ３が取得されている。この取得状態は基本的に点検終了まで維持されており、点検中は最新の位置情報が入手され続ける。またこの段階までには、チェックシート書式も携帯情報端末装置Ｈに入手されている。
【００３１】
図３の処理ステップＳ３６では、タッチパネル５に予め保存してある地図をを表示する。さらに処理ステップＳ３７では、取得した位置情報（現在位置の情報）を予め保存してある地図上に重ね合わせて表示して示す。さらにこの地図上には、チェックシート書式に含まれてサーバＳＶから送信されてきたチェックルート及び点検個所の情報も併せて表示される。これにより、ユーザ（プラント職員）は携帯情報端末装置Ｈに表示されたチェックルートに従って移動し、点検個所に辿りつくことができる。
【００３２】
図２の点検手順に戻り、その処理ステップＳ１３では、ユーザ（プラント職員）はチェックルートに従って移動し、点検個所に辿りついている。点検個所の床などには点検個所がペンキなどで表示されているのが望ましく、ユーザは表示に従い点検個所（プラント機器）の一致を確認し、カメラ撮影すべく起動する。処理ステップＳ１４では、予め定められた位置から予め定められた方向をシャッターを押して撮影する。
【００３３】
このカメラ起動により、図５の内蔵カメラの処理フローが開始される。図５は携帯情報端末装置における内蔵カメラ４の処理フローを示す。内蔵カメラ４の最初の処理ステップＳ４１では、ユーザからのカメラ起動要求Ｘ４を待ち、要求が来ない間は次の処理を行わない。ユーザからのカメラ起動要求Ｘ４があった場合には、処理ステップＳ４２でカメラを起動する。さらに処理ステップＳ４３ではユーザによるシャッター押下処理を待ち、押下されない間は次の処理を行わない。
【００３４】
ユーザによるシャッター押下があった場合には、処理ステップＳ４４においてタッチパネル９に表示された画像を写真画像データとして、図示せぬ携帯情報端末装置Ｈ内の記憶部に一次保存する。
【００３５】
処理ステップＳ４５では、保存した画像データを無線通信部９を介して自動的に処理サーバＳＶへ送信すると共に、地図表示部３に対しＧＰＳ情報送信要求Ｘ５を出す。画像データの処理サーバＳＶへの送信により画像解析部８の処理フロー（図６）がスタートし、ＧＰＳ情報送信要求Ｘ５により地図表示部３の処理フロー（図３）の処理ステップＳ３４が駆動される。なお、取得した位置情報Ｙ５は、保存した画像データの関連情報として処理サーバＳＶに送信される。
【００３６】
最後に処理ステップＳ４６では、ユーザからのカメラ終了要求を監視しており、カメラ終了要求が無い場合（Ｎｏ）には処理ステップＳ４３に移り、再度のシャッター押下を待ち、ユーザからのカメラ終了要求があった場合には処理を終了する。なおカメラ終了要求は一連の点検が終了した後に行われることが多い。
【００３７】
処理ステップＳ４５における２つの処理開始について、まず地図表示部３の処理フロー（図３）の説明を行い、その後で画像解析部８の処理フロー（図６）の説明を行うことにする。
【００３８】
地図表示部３は内蔵カメラ４に連動しており、内蔵カメラ４で写真撮影した時にＧＰＳ情報送信要求Ｘ５が送信されてくる。地図表示部３の処理フロー（図３）の処理ステップＳ３４ではＧＰＳ情報送信要求Ｘ５を監視しており、送信要求Ｘ５あり（Ｙｅｓ）のときに、処理ステップＳ３５に移り、送信要求Ｘ５なし（Ｎｏ）のときに、処理ステップＳ３６の処理に移る。処理ステップＳ３５では、ＧＰＳ情報送信要求Ｘ５に応じて、最新の位置情報Ｙ５を内蔵カメラ４に送信し、処理を終了する。
【００３９】
なお、ＧＰＳ情報送信要求がない時の処理ステップＳ３６、Ｓ３７の処理では、タッチパネル９に地図表示する。なお図３の最後の処理ステップＳ３８では、ユーザからの地図表示終了要求Ｘ６を監視しており、地図表示終了要求Ｘ６が無ければ周期的にＧＰＳ受発信部３に対して位置情報の取得要求を行い、以後この処理を繰り返す。ユーザから地図表示終了要求があった場合には、地図表示部３は地図表示を消去して処理を終了する。
【００４０】
以上説明した図２のここまでの一連の処理によれば、図３、図４、図５に示した携帯情報端末装置Ｈ内の各部処理を通じて、携帯情報端末装置Ｈはユーザ要求により起動して位置情報、点検ルート、点検個所の情報を取得しており、地図上に現在位置とともに表示している。また内蔵カメラ４が起動されると、その写真撮影の都度その時の位置情報を得て、撮影画像とともに処理サーバＳＶへ送信している。
【００４１】
次に、画像情報を受信した処理サーバＳＶ側の処理について説明する。図６は処理サーバＳＶの画像解析部８の処理フローを示している。画像解析部８の最初の処理ステップＳ８１では、携帯情報端末装置Ｈより送られる画像データを待ち、画像データが来ない間は次の処理を行わない。画像データを受信した場合（Ｙｅｓ）には、続いて次の処理ステップＳ８２で、携帯情報端末装置ＨからのＧＰＳ情報Ｙ５の確認を行う。ＧＰＳ情報Ｙ５が無い場合（Ｎｏ）には、処理ステップＳ８３においてＧＰＳ情報Ｙ５無しのエラーメッセージを無線通信部６を介して携帯情報端末装置Ｈへ送信し、処理を終了する。
【００４２】
処理ステップＳ８２でＧＰＳ情報Ｙ５が有る場合（Ｙｅｓ）には、処理ステップＳ８４において画像蓄積部ＤＢ１に対して過去画像取得要求をＧＰＳ情報と共に発行し、過去画像データの取得を行う。処理ステップＳ８５では、受信した画像と過去画像の解析を行い、処理ステップＳ８６において解析結果Ｘを報告書データ作成部９へ送信する。その後処理ステップＳ８７では、解析終了メッセージを送信し、処理を終了する。
【００４３】
なお解析終了メッセージは携帯情報端末装置Ｈに表示され、図２の処理ステップＳ１５では、ユーザがこれを確認する。
【００４４】
ここで、画像解析について説明する。この場合に比較される画像は受信画像と過去画像であるが、ＧＰＳ情報Ｙ５により抽出された過去画像は、撮影時刻が相違するのみで撮影個所（点検個所）は基本的に同じ個所の同じ範囲を含むものである。このため、画像処理では最初に撮影範囲の同定処理を行い、新旧の同じ場所同士を比較する。この結果、相違する個所の情報のみを抽出する。これ等の状態は、いずれも通常（前回あるいは過去の状態）でない、さらには異常状態を示している事象である。
【００４５】
相違する個所の情報はこれを分類すると、「以前は存在したのに現在は存在しない」、逆に「以前は存在していないのに現在は存在している」、「同じ個所に存在しているが向きが相違する」などである。その他には「画像の明暗が相違する」、「計器類の指針位置」、「油、水などによる床の汚れ」などがある。なお、実施例では画像のみを対象にしているがこれは、音を比較することも可能である。現場の音の周波数スペクトルの相違などを異常検知の観点とすることであってもよい。処理ステップＳ８５の解析では、相違する個所の情報が、上記種別に分類分けされて得られる。
【００４６】
図１の報告書作成用データ蓄積部ＤＢ３には、報告書フォーマットや基本文、チェックシート等のデータが記録されている。また点検区域全体の情報も保持している。特に基本文は、前述した相違する個所の情報の分類種別に応じて、想定文が準備されている。
【００４７】
例えば、「以前は存在したのに現在は存在しない」、逆に「以前は存在していないのに現在は存在している」に関連して、存在の主体が車両であれば「時分ごろ、駐車場でないＡ地区に車両（車両番号）駐車。駐車の事前申請なし」、「時分ごろ、Ａ地区で事前申請車両（車両番号）による搬送作業実施中」、存在の主体が資材であれば「撤去申請のあった資材が約束日時を過ぎても放置されている」、「資材撤去完了」などが想定文として準備され、適宜画像から判別できる情報（車両番号、車両や資材の区別など）を加味して報告データを構成可能である。
【００４８】
なお、「同じ個所に存在しているが向きが相違する」に関連して、「弁Ａが開放状態から閉止状態に変更」、「画像の明暗が相違する」に関連して、「Ａ地区の照明不点灯」、「計器類の指針位置」に関連して、「タンク内圧力がＰ１に上昇（前回点検ではＰ０）」、「油、水などによる床の汚れ」に関連して、「油漏れの可能性あり、要点検」、「水漏れ発生」などが想定文として準備される。これらの想定文は、報告書中では時間と場所の情報にリンクされて記述される。
【００４９】
図７（ｂ）は処理サーバＳＶの報告書データ作成部９の処理フローを示す。報告書データ作成部９の最初の処理ステップＳ９１では、画像解析部８より送られてくる解析結果データを待ち、解析結果データが来ない間は処理を行わない。解析結果データを受信した場合（Ｙｅｓ）には、処理ステップＳ９２において報告書作成用データ蓄積部ＤＢ２から報告書フォーマットや基本文、チェックシート等のデータを取得する。
【００５０】
処理ステップＳ９３では取得したデータを元に報告書、チェックシートを作成し、処理ステップＳ９４では作成した報告書を報告書データ蓄積部ＤＢ３へ送信し、処理を終了する。
【００５１】
このうち報告書には、予め準備された基本文が、前述した相違する個所の情報の分類種別に応じて加工され、あるいは情報追加された報告文として記述される。またチェックシートは、点検個所で撮影した画像のＧＰＳ情報から、点検が所定のルートに従い全ての個所で行われたことを確認して、図７（ｂ）の処理ステップＳ９８においてチェック終了を判断し、処理ステップＳ９９において作成したチェックシートを報告書データ蓄積部ＤＢ３へ送信する。なお、ここでは処理ステップＳ９８、Ｓ９９の処理を最後に纏めて行う事例について説明したが、これは画像データを受信した都度、その場所までの点検完了として逐次チェックを積み重ねることでもよい。
【００５２】
再度図２に戻り、ユーザは処理ステップＳ１５において携帯情報端末装置Ｈの画像の解析終了メッセージの表示を確認し、表示が確認できたら、処理ステップＳ１６において、報告書及びチェックシートが作成されたか、内容に問題は無いかチェックを行い、点検完了となる。なお、この報告書確認時点では画像情報に基づいて自動作成された報告内容になっているので、ユーザはその内容承認とともに、追加、修正あるいは削除を行い最終の報告書とすることは言うまでもない。
【００５３】
以上の一連の処理を通じて本発明においては、ＧＰＳにより特定される位置情報を入手し、プラント職員に現在の点検箇所を表示し、備え付けのカメラにより撮影された画像データを処理サーバへ無線で送信する携帯情報端末装置と、携帯情報端末装置から送られる画像データを無線で受信し、蓄積・解析し、過去の機器状態や異常事例等からプラント機器に異常の兆候があるか判断を行い、同時に予め設定されたフォーマット・文面を使用し、定期点検の報告書を画像データより自動的に作成する処理サーバを備えるプラント点検支援装置であり、携帯情報端末装置は無線通信部と、ＧＰＳ受発信部と、地図表示部と、内蔵カメラと、タッチパネルの表示画面を有し、処理サーバは無線通信部と、画像蓄積部と、画像解析部と、報告書データ蓄積部と、報告書データ作成部と、報告書作成用データ蓄積部とを有する。
【００５４】
携帯情報端末装置において無線通信部は、無線通信によって各種データの送受信を処理サーバに対して行い、ＧＰＳ受発信部はＧＰＳ機能により現在の携帯情報端末装置のプラント内での位置を特定し、地図表示部はプラントの地図を表示する共に、ＧＰＳ受発信部により特定された携帯情報端末装置の位置を地図上に表示する。
【００５５】
また処理サーバにおいて無線通信部は、無線通信によって各種データの送受信を携帯情報端末装置に対して行い、画像蓄積部は無線通信部を介して携帯情報端末装置より送られてくる携帯情報端末装置の内蔵カメラによって撮影された画像データをデータベースとして蓄積し、画像解析部は画像蓄積部によって蓄積された過去の画像データと、今回携帯情報端末装置によって撮影された画像データとを比較し、過去と異なる箇所の有無を判断し、報告書データ蓄積部は報告書データ作成部により作成された報告書をデータベースとして蓄積し、報告書データ作成部は画像解析部によって解析された結果と、報告書データ蓄積部によって蓄積された過去の点検報告書に基づき、予め報告書作成用データ蓄積部に登録されているフォーマット・文面を使用して今回の点検報告書を作成し、報告書作成用データ蓄積部はユーザが予めフォーマットや文面を登録し、データベースとして蓄積する。
【符号の説明】
【００５６】
１：無線通信部
２：ＧＰＳ受発信部
３：地図表示部
４：内蔵カメラ４
５：タッチパネルの表示画面
６：無線通信部
８：画像解析部
９：報告書データ作成部
ＤＢ１：画像蓄積部
ＤＢ２：報告書データ蓄積部
ＤＢ３：報告書作成用データ蓄積部
Ｈ：携帯情報端末装置
ＳＶ：処理サーバ
【図１】
2014139724.tif 000003
【図２】
2014139724.tif 000004
【図３】
2014139724.tif 000005
【図４】
2014139724.tif 000006
【図５】
2014139724.tif 000007
【図６】
2014139724.tif 000008
【図７（ａ）】
2014139724.tif 000009
【図７（ｂ）】
2014139724.tif 000010